(57)【要約】【課題】あらかじめ作成されたメタデータ付き情報のメタデータを利用し、新たなメタデータ付き情報を作成することを可能にするメタデータ入力フォーム生成システムを提供する。【解決手段】メタデータ入力フォーム生成サーバは、メタデータ項目定義フォーマットに記述された定義に従ってユーザにメタデータ入力を促すメタデータ入力フォームを生成し、それに従ってユーザが入力した際に、メタデータと共に、そのメタデータをもとに別のメタデータ付き情報を作成するためのリンク・ボタンを付与したメタデータ付き情報を作成し、当該リンク・ボタンが閲覧者によって選択された際、メタデータ入力フォーム生成サーバには利用すべきメタデータ項目定義フォーマットの情報および連携すべきメタデータ項目とその値が送信されることにより、最初に作成されたメタデータ付き情報に付与されているメタデータを引き継いだ別のメタデータ付き情報を作成する。【選択図】図１
2008134915.tif 000002
【特許請求の範囲】
【請求項１】
第１の端末と、前記端末から入力される入力情報を公開するメタデータ入力フォーム生成サーバとを有するメタデータ入力フォーム生成システムであり、
前記メタデータ入力フォーム生成サーバは、
項目を定義する第１のメタデータ項目定義情報を有する第１のメタデータ項目定義フォーマットファイルを、前記第１のメタデータ項目定義フォーマットファイルを識別する前記第１のメタデータ項目定義フォーマットファイル識別情報を付けて蓄積し、
項目を定義する第２のメタデータ項目定義情報を有する第２のメタデータ項目定義フォーマットファイルを、前記第２のメタデータ項目定義フォーマットファイルを識別する前記第２のメタデータ項目定義フォーマットファイル識別情報を付けて蓄積し、
前記第１のメタデータ項目定義フォーマットファイルは、前記第２のメタデータ項目定義フォーマットファイル識別情報と、前記第１のメタデータ項目定義フォーマットファイルで定義される項目と前記第２のメタデータ項目定義フォーマットファイルで定義される項目との対応を示す対応情報と、を有している、
メタデータ項目定義フォーマット蓄積手段と、
前記メタデータ項目定義フォーマット蓄積手段から第１の端末が選択した第１のメタデータ項目定義フォーマットファイルを取得し、前記取得した第１のメタデータ項目定義フォーマットの第１のメタデータ項目定義情報で定義された項目を有する第１のメタデータ入力フォームを生成し、前記生成した第１のメタデータ入力フォームを前記第１の端末に送信し、前記送信した第１のメタデータ入力フォームの項目に入力された入力情報を前記第１の端末から受信し、前記受信した入力情報と前記取得した第１のメタデータ項目定義フォーマットファイルとを送信するメタデータ項目定義フォーマット選択手段と、
前記第１のメタデータ項目定義フォーマットファイルと入力情報とを前記メタデータ項目定義フォーマット選択手段から受信し、前記受信した第１のメタデータ項目定義フォーマットファイルの第１のメタデータ項目定義情報で定義される項目に、前記受信した入力情報を挿入することにより、前記第１のメタデータ項目定義情報で定義される項目と前記入力情報とが関連づけられたメタデータ付き情報を生成し、前記生成したメタデータ付き情報に、前記受信した第１のメタデータ項目定義フォーマットの第２のメタデータ項目定義フォーマットファイル識別情報と対応情報とを追加してリンク情報追加メタデータ付き情報を生成するメタデータ付き情報作成手段と、
を有することを特徴とするメタデータ入力フォーム生成システム。
【請求項２】
前記メタデータ入力フォーム生成サーバが、
リンク情報追加メタデータ付き情報を蓄積するメタデータ付き情報蓄積手段と、
前記メタデータ付き情報蓄積手段に蓄積されたリンク情報追加メタデータ付き情報を公開するメタデータ付き情報公開手段と、
を有し、
前記メタデータ付き情報作成手段が、
前記生成したリンク情報追加メタデータ付き情報を前記メタデータ付き情報蓄積手段に蓄積させ、
第２の端末が、
前記メタデータ付き情報公開手段に公開されているリンク情報追加メタデータ付き情報を表示し、前記表示したリンク情報追加メタデータ付き情報に含まれるメタデータ付き情報と第２のメタデータ項目定義フォーマットファイル識別情報と対応情報とを、前記メタデータ入力フォーム生成サーバに送信する閲覧手段、
を有する、
ことを特徴とする請求項１に記載のメタデータ入力フォーム生成システム。
【請求項３】
前記メタデータ項目定義フォーマット選択手段が、
前記メタデータ付き情報と第２のメタデータ項目定義フォーマットファイル識別情報と対応情報とを前記第２の端末から受信し、前記受信した第２のメタデータ項目定義フォーマットファイル識別情報に該当する第２のメタデータ項目定義フォーマットファイルを前記メタデータ項目定義フォーマット蓄積手段から取得し、前記取得した第２のメタデータ項目定義フォーマットファイルの第２のメタデータ項目定義情報で定義された項目を有する第２のメタデータ入力フォームを生成し、前記生成した第２のメタデータ入力フォームの項目に、前記受信したメタデータ付き情報の入力情報を、前記受信した対応情報に対応させて挿入し、前記挿入した第２のメタデータ入力フォームを前記第２の端末に送信する、
ことを特徴とする請求項２に記載のメタデータ入力フォーム生成システム。
【請求項４】
前記メタデータ付き情報作成手段が、
前記生成したメタデータ付き情報に、前記受信した第１のメタデータ項目定義フォーマットの第２のメタデータ項目定義フォーマットファイル識別情報と対応情報とを含むリンクをリンクまたはリンク・ボタンとして追加する、
ことを特徴とする請求項１から請求項３に記載のメタデータ入力フォーム生成システム。
【請求項５】
前記メタデータ入力フォーム生成サーバが、
端末のユーザを識別するユーザ識別情報を記憶する識別情報記憶手段と、
リンク情報追加メタデータ付き情報の利用状況を記憶するユーザ利用関係記憶手段と、
を有し、
前記メタデータ項目定義フォーマット選択手段が、
前記第１の端末のユーザ識別情報を第１のユーザ識別情報として前記識別情報記憶手段から取得し、前記取得した第１のユーザ識別情報を前記メタデータ付き情報作成手段へ送信し、
前記メタデータ付き情報作成手段が、
前記受信した第１のユーザ識別情報を含めてリンク情報追加メタデータ付き情報を生成し、
前記閲覧手段が、
前記メタデータ付き情報公開手段に公開されているリンク情報追加メタデータ付き情報を表示し、前記表示したリンク情報追加メタデータ付き情報に含まれる第１のユーザ識別情報を、前記メタデータ入力フォーム生成サーバに送信し、
前記メタデータ項目定義フォーマット選択手段が、
前記第２の端末のユーザ識別情報を前記ユーザ利用関係記憶手段から第２のユーザ識別情報として取得し、前記取得した第２のユーザ識別情報と前記受信した第１のユーザ識別情報とを関連付けて前記ユーザ利用関係記憶手段に登録する、
ことを特徴とする請求項３から請求項４に記載のメタデータ入力フォーム生成システム。
【請求項６】
前記メタデータ項目定義フォーマット選択手段が、
前記受信した第２のメタデータ項目定義フォーマットファイル識別情報と前記取得した第２のユーザ識別情報と前記受信した第１のユーザ識別情報とを関連付けて前記ユーザ利用関係記憶手段に登録する、
ことを特徴とする請求項３から請求項５に記載のメタデータ入力フォーム生成システム。
【請求項７】
第１の端末と、前記端末から入力される入力情報を公開するメタデータ入力フォーム生成サーバとを有するメタデータ入力フォーム生成システムで用いられる方法であり、
前記メタデータ入力フォーム生成サーバが、
項目を定義する第１のメタデータ項目定義情報を有する第１のメタデータ項目定義フォーマットファイルを、前記第１のメタデータ項目定義フォーマットファイルを識別する前記第１のメタデータ項目定義フォーマットファイル識別情報を付けてメタデータ項目定義フォーマット蓄積手段に蓄積し、項目を定義する第２のメタデータ項目定義情報を有する第２のメタデータ項目定義フォーマットファイルを、前記第２のメタデータ項目定義フォーマットファイルを識別する前記第２のメタデータ項目定義フォーマットファイル識別情報を付けて前記メタデータ項目定義フォーマット蓄積手段蓄積し、前記第１のメタデータ項目定義フォーマットファイルは、前記第２のメタデータ項目定義フォーマットファイル識別情報と、前記第１のメタデータ項目定義フォーマットファイルで定義される項目と前記第２のメタデータ項目定義フォーマットファイルで定義される項目との対応を示す対応情報と、を有している、メタデータ項目定義フォーマット蓄積手順と、
前記メタデータ項目定義フォーマット蓄積手段から第１の端末が選択した第１のメタデータ項目定義フォーマットファイルを取得し、前記取得した第１のメタデータ項目定義フォーマットの第１のメタデータ項目定義情報で定義された項目を有する第１のメタデータ入力フォームを生成し、前記生成した第１のメタデータ入力フォームを前記第１の端末に送信し、前記送信した第１のメタデータ入力フォームの項目に入力された入力情報を前記第１の端末から受信し、前記受信した入力情報と前記取得した第１のメタデータ項目定義フォーマットファイルとを送信するメタデータ項目定義フォーマット選択手順と、
前記第１のメタデータ項目定義フォーマットファイルと入力情報とを前記メタデータ項目定義フォーマット選択手順から受信し、前記受信した第１のメタデータ項目定義フォーマットファイルの第１のメタデータ項目定義情報で定義される項目に、前記受信した入力情報を挿入することにより、前記第１のメタデータ項目定義情報で定義される項目と前記入力情報とが関連づけられたメタデータ付き情報を生成し、前記生成したメタデータ付き情報に、前記受信した第１のメタデータ項目定義フォーマットの第２のメタデータ項目定義フォーマットファイル識別情報と対応情報とを追加してリンク情報追加メタデータ付き情報を生成するメタデータ付き情報作成手順と、
を有することを特徴とするメタデータ入力フォーム生成方法。
【発明の詳細な説明】
【技術分野】
【０００１】
本発明は、ネットワークを介してメタデータを付与した情報を発信する技術に関する。
【背景技術】
【０００２】
インターネット上で流通される情報に対し、その情報に特徴的なデータを機械的に処理しやすい形で記述する手法としてタグを利用したメタデータ付与技術がある。
このような技術として、付与するメタデータに関するルールを同一のフォーマットで記述することにより、複数のユーザが複数の類似情報に同一形式でメタデータを付与することを可能にするシステムが特許文献１として知られている。
この特許文献１の技術を用いることで、複数のユーザが複数の類似情報に、同一形式のメタデータを付与することができ、この付与されたメタデータのデータの形式が同一であるため、そのデータの集計等を容易にすることができる。
【特許文献１】特開２００６−６５４５１号公報
【発明の開示】
【発明が解決しようとする課題】
【０００３】
しかしながら、特許文献１の技術では、同一もしくは異なる情報に関して同様のメタデータを付与したい場合には、複数の情報のそれぞれで、ユーザはその情報ごとにメタデータを入力する必要があるという問題があった。
例えば、ユーザが「打ち合わせの予定」情報に付与されたメタデータ（開始時間、終了時間、場所、参加者等）のデータを用いて、それに関連する同一のメタデータ（開始時間、終了時間、場所、参加者等）を付与した「議事録」情報を作成したりすることができないという問題があった。
【０００４】
つまり従来技術では、同一のもしくは異なる情報に対して同一のメタデータを付与するとき、メタデータを利用して新規に情報を入力して新たなメタデータ付き情報を作成することは出来たが、既に作成されているメタデータ付き情報に用いられているメタデータを利用（流用）して、新たなメタデータ付き情報を作成することができないという問題があった。従って、ユーザにとって、新たに情報を入力する手間がかかる、という問題があった。
【０００５】
本発明は、このような事情に鑑みてなされたもので、その目的は、あらかじめ作成されたメタデータ付き情報のメタデータを利用し、新たなメタデータ付き情報を作成することを可能にするメタデータ入力フォーム生成システムおよび方法を提供することにある。
【課題を解決するための手段】
【０００６】
この発明は上述した課題を解決するためになされたもので、請求項１に記載の発明は、第１の端末と、前記端末から入力される入力情報を公開するメタデータ入力フォーム生成サーバとを有するメタデータ入力フォーム生成システムであり、前記メタデータ入力フォーム生成サーバは、項目を定義する第１のメタデータ項目定義情報を有する第１のメタデータ項目定義フォーマットファイルを、前記第１のメタデータ項目定義フォーマットファイルを識別する前記第１のメタデータ項目定義フォーマットファイル識別情報を付けて蓄積し、項目を定義する第２のメタデータ項目定義情報を有する第２のメタデータ項目定義フォーマットファイルを、前記第２のメタデータ項目定義フォーマットファイルを識別する前記第２のメタデータ項目定義フォーマットファイル識別情報を付けて蓄積し、前記第１のメタデータ項目定義フォーマットファイルは、前記第２のメタデータ項目定義フォーマットファイル識別情報と、前記第１のメタデータ項目定義フォーマットファイルで定義される項目と前記第２のメタデータ項目定義フォーマットファイルで定義される項目との対応を示す対応情報と、を有している、メタデータ項目定義フォーマット蓄積手段と、前記メタデータ項目定義フォーマット蓄積手段から第１の端末が選択した第１のメタデータ項目定義フォーマットファイルを取得し、前記取得した第１のメタデータ項目定義フォーマットの第１のメタデータ項目定義情報で定義された項目を有する第１のメタデータ入力フォームを生成し、前記生成した第１のメタデータ入力フォームを前記第１の端末に送信し、前記送信した第１のメタデータ入力フォームの項目に入力された入力情報を前記第１の端末から受信し、前記受信した入力情報と前記取得した第１のメタデータ項目定義フォーマットファイルとを送信するメタデータ項目定義フォーマット選択手段と、前記第１のメタデータ項目定義フォーマットファイルと入力情報とを前記メタデータ項目定義フォーマット選択手段から受信し、前記受信した第１のメタデータ項目定義フォーマットファイルの第１のメタデータ項目定義情報で定義される項目に、前記受信した入力情報を挿入することにより、前記第１のメタデータ項目定義情報で定義される項目と前記入力情報とが関連づけられたメタデータ付き情報を生成し、前記生成したメタデータ付き情報に、前記受信した第１のメタデータ項目定義フォーマットの第２のメタデータ項目定義フォーマットファイル識別情報と対応情報とを追加してリンク情報追加メタデータ付き情報を生成するメタデータ付き情報作成手段と、を有することを特徴とするメタデータ入力フォーム生成システムである。
【０００７】
請求項２に記載の発明は、前記メタデータ入力フォーム生成サーバが、リンク情報追加メタデータ付き情報を蓄積するメタデータ付き情報蓄積手段と、前記メタデータ付き情報蓄積手段に蓄積されたリンク情報追加メタデータ付き情報を公開するメタデータ付き情報公開手段と、を有し、前記メタデータ付き情報作成手段が、前記生成したリンク情報追加メタデータ付き情報を前記メタデータ付き情報蓄積手段に蓄積させ、第２の端末が、前記メタデータ付き情報公開手段に公開されているリンク情報追加メタデータ付き情報を表示し、前記表示したリンク情報追加メタデータ付き情報に含まれるメタデータ付き情報と第２のメタデータ項目定義フォーマットファイル識別情報と対応情報とを、前記メタデータ入力フォーム生成サーバに送信する閲覧手段、を有する、ことを特徴とする請求項１に記載のメタデータ入力フォーム生成システムである。
【０００８】
請求項３に記載の発明は、前記メタデータ項目定義フォーマット選択手段が、前記メタデータ付き情報と第２のメタデータ項目定義フォーマットファイル識別情報と対応情報とを前記第２の端末から受信し、前記受信した第２のメタデータ項目定義フォーマットファイル識別情報に該当する第２のメタデータ項目定義フォーマットファイルを前記メタデータ項目定義フォーマット蓄積手段から取得し、前記取得した第２のメタデータ項目定義フォーマットファイルの第２のメタデータ項目定義情報で定義された項目を有する第２のメタデータ入力フォームを生成し、前記生成した第２のメタデータ入力フォームの項目に、前記受信したメタデータ付き情報の入力情報を、前記受信した対応情報に対応させて挿入し、前記挿入した第２のメタデータ入力フォームを前記第２の端末に送信する、ことを特徴とする請求項２に記載のメタデータ入力フォーム生成システムである。
【０００９】
請求項４に記載の発明は、前記メタデータ付き情報作成手段が、前記生成したメタデータ付き情報に、前記受信した第１のメタデータ項目定義フォーマットの第２のメタデータ項目定義フォーマットファイル識別情報と対応情報とを含むリンクをリンクまたはリンク・ボタンとして追加する、ことを特徴とする請求項１から請求項３に記載のメタデータ入力フォーム生成システムである。
【００１０】
請求項５に記載の発明は、前記メタデータ入力フォーム生成サーバが、端末のユーザを識別するユーザ識別情報を記憶する識別情報記憶手段と、リンク情報追加メタデータ付き情報の利用状況を記憶するユーザ利用関係記憶手段と、を有し、前記メタデータ項目定義フォーマット選択手段が、前記第１の端末のユーザ識別情報を第１のユーザ識別情報として前記識別情報記憶手段から取得し、前記取得した第１のユーザ識別情報を前記メタデータ付き情報作成手段へ送信し、前記メタデータ付き情報作成手段が、前記受信した第１のユーザ識別情報を含めてリンク情報追加メタデータ付き情報を生成し、前記閲覧手段が、前記メタデータ付き情報公開手段に公開されているリンク情報追加メタデータ付き情報を表示し、前記表示したリンク情報追加メタデータ付き情報に含まれる第１のユーザ識別情報を、前記メタデータ入力フォーム生成サーバに送信し、前記メタデータ項目定義フォーマット選択手段が、前記第２の端末のユーザ識別情報を前記ユーザ利用関係記憶手段から第２のユーザ識別情報として取得し、前記取得した第２のユーザ識別情報と前記受信した第１のユーザ識別情報とを関連付けて前記ユーザ利用関係記憶手段に登録する、ことを特徴とする請求項３から請求項４に記載のメタデータ入力フォーム生成システムである。
【００１１】
請求項６に記載の発明は、前記メタデータ項目定義フォーマット選択手段が、前記受信した第２のメタデータ項目定義フォーマットファイル識別情報と前記取得した第２のユーザ識別情報と前記受信した第１のユーザ識別情報とを関連付けて前記ユーザ利用関係記憶手段に登録する、ことを特徴とする請求項３から請求項５に記載のメタデータ入力フォーム生成システムである。
【００１２】
請求項７に記載の発明は、第１の端末と、前記端末から入力される入力情報を公開するメタデータ入力フォーム生成サーバとを有するメタデータ入力フォーム生成システムで用いられる方法であり、前記メタデータ入力フォーム生成サーバが、項目を定義する第１のメタデータ項目定義情報を有する第１のメタデータ項目定義フォーマットファイルを、前記第１のメタデータ項目定義フォーマットファイルを識別する前記第１のメタデータ項目定義フォーマットファイル識別情報を付けてメタデータ項目定義フォーマット蓄積手段に蓄積し、項目を定義する第２のメタデータ項目定義情報を有する第２のメタデータ項目定義フォーマットファイルを、前記第２のメタデータ項目定義フォーマットファイルを識別する前記第２のメタデータ項目定義フォーマットファイル識別情報を付けて前記メタデータ項目定義フォーマット蓄積手段蓄積し、前記第１のメタデータ項目定義フォーマットファイルは、前記第２のメタデータ項目定義フォーマットファイル識別情報と、前記第１のメタデータ項目定義フォーマットファイルで定義される項目と前記第２のメタデータ項目定義フォーマットファイルで定義される項目との対応を示す対応情報と、を有している、メタデータ項目定義フォーマット蓄積手順と、前記メタデータ項目定義フォーマット蓄積手段から第１の端末が選択した第１のメタデータ項目定義フォーマットファイルを取得し、前記取得した第１のメタデータ項目定義フォーマットの第１のメタデータ項目定義情報で定義された項目を有する第１のメタデータ入力フォームを生成し、前記生成した第１のメタデータ入力フォームを前記第１の端末に送信し、前記送信した第１のメタデータ入力フォームの項目に入力された入力情報を前記第１の端末から受信し、前記受信した入力情報と前記取得した第１のメタデータ項目定義フォーマットファイルとを送信するメタデータ項目定義フォーマット選択手順と、前記第１のメタデータ項目定義フォーマットファイルと入力情報とを前記メタデータ項目定義フォーマット選択手順から受信し、前記受信した第１のメタデータ項目定義フォーマットファイルの第１のメタデータ項目定義情報で定義される項目に、前記受信した入力情報を挿入することにより、前記第１のメタデータ項目定義情報で定義される項目と前記入力情報とが関連づけられたメタデータ付き情報を生成し、前記生成したメタデータ付き情報に、前記受信した第１のメタデータ項目定義フォーマットの第２のメタデータ項目定義フォーマットファイル識別情報と対応情報とを追加してリンク情報追加メタデータ付き情報を生成するメタデータ付き情報作成手順と、を有することを特徴とするメタデータ入力フォーム生成方法である。
【発明の効果】
【００１３】
この発明によれば、本発明に従って作成されたメタデータ付き情報に付与されたメタデータを流用し、他の新たなメタデータ付き情報を作成することができるという効果を奏する。
また、本発明によれば、新たなメタデータ付き情報を作成するのが元々のメタデータ付き情報とは別のユーザである場合、メタデータの流用情報を蓄積・集計することができるという効果を奏する。
【発明を実施するための最良の形態】
【００１４】
以下、図面を参照して、本発明の実施の形態について説明する。図１は、この発明の一実施形態によるメタデータ入力フォーム生成システムの構成を示す概略ブロック図である。
【００１５】
端末２および端末３は、ネットワークを介してメタデータ入力フォーム生成サーバ１と通信することが可能な端末である。
また、この端末２および端末３には、周辺機器として入力装置、表示装置等（いずれも図示せず）が接続されるものとする。ここで、入力装置とはキーボード、マウス等の入力デバイスのことをいう。表示装置とはＣＲＴ（Ｃａｔｈｏｄｅ  Ｒａｙ  Ｔｕｂｅ）や液晶表示装置等のことをいう。
以下の説明においては、端末２を、元データ付き情報作成者であるユーザが用いる端末とし、端末３を、メタデータ付き情報流用作成者であるユーザが用いる端末として説明する。なお、元データ付き情報とは、流用の元となる情報のことである。
【００１６】
メタデータ入力フォーム生成サーバ１は、メタデータ項目定義フォーマット選択部１１、メタデータ項目定義フォーマット蓄積部１２、メタデータ入力フォーム生成部１３、メタデータ付き情報作成部１４、メタデータ付き情報蓄積部１５、および、メタデータ付き情報公開部１６を有する。
また、メタデータ入力フォーム生成サーバ１は、端末のユーザを識別するユーザ識別情報を記憶するユーザ識別情報記憶部と、リンク情報追加メタデータ付き情報の利用状況を記憶するユーザ利用関係記憶部、を有する。
【００１７】
メタデータ項目定義フォーマット蓄積部１２は、項目を定義する第１のメタデータ項目定義情報を有する第１のメタデータ項目定義フォーマットファイル１７を、第１のメタデータ項目定義フォーマットファイル１７を識別する第１のメタデータ項目定義フォーマットファイル識別情報を付けて蓄積し、項目を定義する第２のメタデータ項目定義情報を有する第２のメタデータ項目定義フォーマットファイル１７を、第２のメタデータ項目定義フォーマットファイル１７を識別する第２のメタデータ項目定義フォーマットファイル識別情報を付けて蓄積する。
この第１のメタデータ項目定義フォーマットファイル１７は、第２のメタデータ項目定義フォーマットファイル識別情報と、第１のメタデータ項目定義フォーマットファイル１７で定義される項目と第２のメタデータ項目定義フォーマットファイル１７で定義される項目との対応を示す対応情報と、を有している。
【００１８】
つまり、メタデータ項目定義フォーマット蓄積部１２は、複数のメタデータ項目定義フォーマットのそれぞれを、メタデータ項目定義フォーマットファイル１７として蓄積している。
このメタデータ項目定義フォーマットファイル１７とは、データの構造や項目を定義するデータである。メタデータ項目定義フォーマットファイル１７の一例は、後に図３を用いて説明する。
【００１９】
メタデータ項目定義フォーマット選択部１１は、メタデータ項目定義フォーマット蓄積部１２から第１の端末（端末２）が選択した第１のメタデータ項目定義フォーマットファイル１７を取得し、取得した第１のメタデータ項目定義フォーマットの第１のメタデータ項目定義情報で定義された項目を有し、第１の端末が入力するための、第１のメタデータ入力フォームを生成し、生成した第１のメタデータ入力フォームを第１の端末に送信し、送信した第１のメタデータ入力フォームの項目に入力された入力情報を第１の端末から受信し、受信した入力情報と取得した第１のメタデータ項目定義フォーマットファイル１７とを、メタデータ付き情報作成部１４へ、送信する。
【００２０】
また、メタデータ項目定義フォーマット選択部１１は、メタデータ付き情報と第２のメタデータ項目定義フォーマットファイル識別情報と対応情報とを第２の端末から受信し、受信した第２のメタデータ項目定義フォーマットファイル識別情報に該当する第２のメタデータ項目定義フォーマットファイル１７をメタデータ項目定義フォーマット蓄積部１２から取得し、取得した第２のメタデータ項目定義フォーマットファイル１７の第２のメタデータ項目定義情報で定義された項目を有し、第２の端末のユーザが入力するための、第２のメタデータ入力フォームを生成し、生成した第２のメタデータ入力フォームの項目に、受信したメタデータ付き情報の入力情報を、受信した対応情報に対応させて挿入し、挿入した第２のメタデータ入力フォームを第２の端末に送信する。
【００２１】
また、メタデータ項目定義フォーマット選択部１１は、第１の端末のユーザ識別情報を第１のユーザ識別情報としてユーザ識別情報記憶部から取得し、取得した第１のユーザ識別情報をメタデータ付き情報作成部１４へ送信する。
【００２２】
また、メタデータ項目定義フォーマット選択部１１は、第２の端末のユーザ識別情報をユーザ利用関係記憶部から第２のユーザ識別情報として取得し、取得した第２のユーザ識別情報と受信した第１のユーザ識別情報とを関連付けてユーザ利用関係記憶部に登録する。
【００２３】
また、メタデータ項目定義フォーマット選択部１１は、受信した第２のメタデータ項目定義フォーマットファイル識別情報と取得した第２のユーザ識別情報と受信した第１のユーザ識別情報とを関連付けてユーザ利用関係記憶部に登録する。
【００２４】
メタデータ付き情報作成部１４は、第１のメタデータ項目定義フォーマットファイル１７と入力情報とをメタデータ項目定義フォーマット選択部１１から受信し、受信した第１のメタデータ項目定義フォーマットファイル１７の第１のメタデータ項目定義情報で定義される項目に、受信した入力情報を挿入することにより、第１のメタデータ項目定義情報で定義される項目と入力情報とが関連づけられたメタデータ付き情報を生成し、生成したメタデータ付き情報に、受信した第１のメタデータ項目定義フォーマットの第２のメタデータ項目定義フォーマットファイル識別情報と対応情報とを追加してリンク情報追加メタデータ付き情報を生成する。
【００２５】
また、メタデータ付き情報作成部１４は、生成したリンク情報追加メタデータ付き情報をメタデータ付き情報蓄積部１５に蓄積する。
また、メタデータ付き情報作成部１４は、生成したメタデータ付き情報に、受信した第１のメタデータ項目定義フォーマットの第２のメタデータ項目定義フォーマットファイル識別情報と対応情報とを含むリンクをリンクまたはリンク・ボタンとして追加する。
また、メタデータ付き情報作成部１４は、受信した第１のユーザ識別情報を含めてリンク情報追加メタデータ付き情報を生成する。
【００２６】
メタデータ付き情報蓄積部１５は、複数のリンク情報追加メタデータ付き情報のそれぞれを、メタデータ付き情報ファイル１８として蓄積する。
このメタデータ付き情報ファイル１８とは、メタデータ項目定義フォーマットファイル１７に基づいてユーザが入力した情報や、用いたメタデータ項目定義フォーマットファイル１７を識別する情報、などを含んだファイルであり、また、メタデータ付き情報公開部１６により公開することができるファイルである。
【００２７】
メタデータ付き情報公開部１６は、メタデータ付き情報蓄積部１５に蓄積されたリンク情報追加メタデータ付き情報を公開する。
【００２８】
第２の端末（端末３）は、メタデータ付き情報公開部１６に公開されているリンク情報追加メタデータ付き情報を表示し、表示したリンク情報追加メタデータ付き情報に含まれるメタデータ付き情報と第２のメタデータ項目定義フォーマットファイル識別情報と対応情報とを、メタデータ入力フォーム生成サーバ１に送信する閲覧部、を有する。
【００２９】
また、端末３の閲覧部は、メタデータ付き情報公開部１６に公開されているリンク情報追加メタデータ付き情報を表示し、表示したリンク情報追加メタデータ付き情報に含まれる第１のユーザ識別情報を、メタデータ入力フォーム生成サーバ１に送信する。
【００３０】
以上の構成により、メタデータ入力フォーム生成サーバ１は、メタデータ項目定義フォーマットファイル１７に記述された定義に従ってユーザにメタデータ入力を促すメタデータ入力フォームを生成し、それに従ってユーザが入力した際に、メタデータと共に、そのメタデータをもとに別のメタデータ付き情報を作成するためのリンク・ボタン等を付与したメタデータ付き情報を作成する機能を有し、当該リンク・ボタン等が閲覧者によって選択された際、メタデータ入力フォーム生成サーバには利用すべきメタデータ項目定義フォーマットの情報、および連携すべきメタデータ項目とその値が送信されることにより、最初に作成されたメタデータ付き情報に付与されているメタデータを一部もしくは全部引き継いだ別のメタデータ付き情報を作成する。
【００３１】
また、以上の構成により、メタデータ入力フォーム生成サーバ１はユーザ認証機能（ユーザ識別情報記憶部）を有し、あるユーザが作成されたメタデータ付き情報にはその情報を作成したユーザを一意に識別するユーザ識別子が付与され、他ユーザがその情報に付与されたメタデータの一部または全部を利用して新たにメタデータ付き情報を作成する際、ユーザ間のメタデータ利用とメタデータ被利用関係、および、利用されたメタデータを抽出し蓄積する。
【００３２】
次に、メタデータ入力フォーム生成システムの動作について説明する。
ここでは、既存のメタデータ付き情報を利用せず、新規に（メタデータを流用利用可能な）メタデータ付き情報を生成する場合の、メタデータ入力フォーム生成システムの動作について説明する。
【００３３】
まず、メタデータ項目定義フォーマット選択部１１では、サーバ内もしくはサーバ外部で利用可能なメタデータ項目定義フォーマットの情報をユーザの端末２に送信する（ステップＳ１０１）。
端末２は、送信されたメタデータ項目定義フォーマットの情報を表示し、ユーザが端末２を操作することより、送信されたメタデータ項目定義フォーマットの中から、メタデータ項目定義フォーマットを選択し、選択したメタデータ項目定義フォーマット識別情報をメタデータ入力フォーム生成サーバ１へ送信する（ステップＳ１０２）。
これにより、利用するメタデータ項目定義フォーマットが、ユーザによって選択される。
【００３４】
このとき、選択されるメタデータ項目定義フォーマット（メタデータ項目定義フォーマットファイル１７）に、他メタデータ項目定義フォーマットへのメタデータ流用定義が記述されていれば、作成される情報は、メタデータを流用し新たなメタデータ付き情報を作成可能なメタデータ付き情報となる。
【００３５】
なお、メタデータ項目定義フォーマットに記述されるべき「他メタデータ項目定義フォーマットヘのメタデータ流用記述」に記述される情報には、流用先のメタデータ項目定義フォーマットの識別子（メタデータ項目定義フォーマットファイル識別情報）、流用元のメタデータ項目名（もしくは識別子）と流用先のメタデータ項目名もしくは識別子（対応情報）、流用元の情報作成者のユーザ識別子（ユーザ識別情報）、流用元のメタデータから流用先のメタデータヘのデータ変換ルール（対応情報）が含まれる。
【００３６】
この流用元のメタデータ項目名（もしくは識別子）と流用先のメタデータ項目名もしくは識別子（対応情報）と、流用元の情報作成者のユーザ識別子（ユーザ識別情報）とは、必要に応じて用いることが可能である。
また、なお、「他メタデータ項目定義フォーマットヘのメタデータ流用記述」に記述される情報には、上記以外の情報も、必要に応じて含めることが可能である。
【００３７】
なお、ここでは「他メタデータ項目定義フォーマットヘの流用」として説明しているが、元のメタデータ項目定義フォーマットと、流用作成する際に利用するメタデータ項目定義フォーマットとは、同一のメタデータ項目定義フォーマットであってもよい。
【００３８】
これらが定義されたメタデータ項目定義フォーマットをユーザが選択し、メタデータ項目定義フォーマットを識別するメタデータ項目定義フォーマット識別情報をメタデータ入力フォーム生成サーバ１へ送信すると（ステップＳ１０２）、メタデータ入力フォーム生成サーバ１のメタデータ項目定義フォーマット選択部１１がメタデータ項目定義フォーマット識別情報に該当するメタデータ項目定義フォーマットファイル１７をメタデータ入力フォーム生成部１３から取得する（ステップＳ１０３、Ｓ１０４）。
【００３９】
次に、メタデータ項目定義フォーマット選択部１１が、取得したメタデータ項目定義フォーマットファイル１７をメタデータ入力フォーム生成部１３に送信する（ステップＳ１０５）。
次に、メタデータ入力フォーム生成部１３が、受信したメタデータ項目定義フォーマットファイル１７により、ユーザの入力を促す画面となる入力フォームを生成し、生成したユーザの入力を促す入力フォームを端末２へ送信する（ステップＳ１０６）。
【００４０】
メタデータ入力フォーム生成部１３からの入力フォームに従って、端末２を用いてユーザが各メタデータ項目を記入し、その記入した結果を入力情報として送信すると（ステップＳ１０７）、その入力情報がメタデータ付き情報作成部１４へ送信され（ステップＳ１０８）、メタデータ付き情報作成部１４が、メタデータ付き情報を生成する。
【００４１】
なお、ここではメタデータを付与する「情報」自身の入力方法については説明を行なわないが、情報自体には、ユーザ自身が作成した文書データや音楽、画像、映像データのみならず、既存の情報へのリンク等も含まれる。
【００４２】
また、メタデータ付き情報作成部１４は、メタデータを流用して別のメタデータ付き情報を作成するためのリンク・ボタン生成し、生成したリンク・ボタンを生成したメタデータ付き情報に付与してメタデータ付き情報（リンク情報追加メタデータ付き情報）を生成する。
ここで、このリンク・ボタンには、利用すべきメタデータ入力フォーム生成サーバのロケーション（ＵＲＬ等）の情報であるロケーション情報、利用すべきメタデータ項目定義フォーマットの識別子の情報であるメタデータ項目定義フォーマット識別情報、および、流用先の項目名（もしくは項目識別子）と値の情報である項目情報が含まれている。
【００４３】
閲覧者の端末に、このリンク・ボタンが表示され、閲覧者が、閲覧者の端末を介して、このリンク・ボタンを、クリックしたり押したりするなどの操作を行なうことで、閲覧者の端末から、リンク・ボタンに含まれているロケーション情報、メタデータ項目定義フォーマット識別情報、および、項目情報が、メタデータ入力フォーム生成サーバに送信されることにより、閲覧者は、元のメタデータ付き情報に付与されていたメタデータ情報を利用したメタデータ付き情報を作成することができる。
【００４４】
メタデータ付き情報作成部１４は、生成したメタデータ付き情報を、メタデータ付き情報ファイル１８としてメタデータ付き情報蓄積部１５に蓄積させる（ステップＳ１０９）。
【００４５】
その後、メタデータ付き情報蓄積部１５に蓄積されたメタデータ付き情報ファイル１８は、メタデータ付き情報公開部１６を介して端末３へ公開される（ステップＳ１１０から１ステップＳ１１３）。
【００４６】
例えば、端末３がメタデータ付き情報公開部１６に接続し、メタデータ付き情報ファイル１８を選択する（ステップＳ１１０）。メタデータ付き情報公開部１６が、選択されたメタデータ付き情報ファイル１８をメタデータ付き情報蓄積部１５から読み出し（ステップＳ１１１、ステップＳ１１２）、読み出したメタデータ付き情報ファイル１８を、端末３へ送信する（ステップＳ１１３）ことにより、メタデータ付き情報蓄積部１５に蓄積されたメタデータ付き情報ファイル１８は、メタデータ付き情報公開部１６を介して端末３へ公開される。
【００４７】
端末３でメタデータ付き情報ファイル１８が表示され、表示されたメタデータ付き情報ファイル１８に含まれるリンク・ボタンを、端末３のユーザが押したりクリックしたりして操作する。
端末３は、ユーザにより操作されたリンク・ボタンと対応するメタデータ付き情報と第２のメタデータ項目定義フォーマットファイル識別情報と対応情報とを、メタデータ入力フォーム生成サーバ１に送信する（ステップＳ１１４）。
【００４８】
次に、端末３からメタデータ付き情報と第２のメタデータ項目定義フォーマットファイル識別情報と対応情報とを受信したメタデータ入力フォーム生成サーバ１のメタデータ項目定義フォーマット蓄積部１２が、メタデータ付き情報と第２のメタデータ項目定義フォーマットファイル識別情報と対応情報とを第２の端末から受信し、受信した第２のメタデータ項目定義フォーマットファイル識別情報に該当する第２のメタデータ項目定義フォーマットファイル１７をメタデータ項目定義フォーマット蓄積部１２から取得し、取得した第２のメタデータ項目定義フォーマットファイル１７の第２のメタデータ項目定義情報で定義された項目に第２の端末のユーザが入力する第２のメタデータ入力フォームを生成し、生成した第２のメタデータ入力フォームの項目に、受信したメタデータ付き情報の入力情報を、受信した対応情報に対応させて挿入し、挿入した第２のメタデータ入力フォームを第２の端末に送信する。
【００４９】
以降、メタデータ入力フォーム生成サーバ１が、端末２の場合の処理（ステップＳ１０６からＳ１０９）と同様の処理を、端末３に対して実行する。
【００５０】
次に、図２を用いて、端末２の元メタデータ付き情報作成者と、端末３のメタデータ付き情報流用作成者とが、メタデータの付与された情報を作成・蓄積・公開する手順を説明する。
【００５１】
端末２の元メタデータ付き情報作成者は、メタデータ項目定義フォーマットを選択し（ステップＳ２０１）、メタデータ項目定義フォーマットを取得し（ステップＳ２０２）、メタデータ項目定義フォーマットからメタデータ入力フォームを生成し（ステップＳ２０３）、メタデータ項目定義フォーマットに基づきリンク・ボタンを作成し（ステップＳ２２３）、リンク・ボタン等およびメタデータの付与された情報を作成・蓄積・公開する（ステップＳ２２４）。
【００５２】
一方、端末３のメタデータ付き情報流用作成者は、公開されている情報を閲覧し、リンク・ボタン等のクリックなどをし（ステップＳ２１１）、流用するメタデータおよび流用作成に利用するメタデータ項目定義フォーマットの識別子を、ユーザ端末上のブラウザからメタデータ入力フォーム生成サーバに送信し（ステップＳ２１２）、デフォルト値として送信されたメタデータが入力された入力フォームを生成し（ステップＳ２１３）、メタデータ項目定義フォーマットに基づきリンク・ボタンを作成し（ステップＳ２２３）、リンク・ボタン等およびメタデータの付与された情報を作成・蓄積・公開する（ステップＳ２２４）。
【００５３】
以上のように、端末３のメタデータ付き情報流用作成者は、例えば、端末２の元メタデータ付き情報作成者が作成・蓄積・公開したメタデータの付与された情報を、閲覧やリンク・ボタン等のクリックなどをすることにより、そのメタデータの付与された情報を流用することが可能となる。
【００５４】
次に、「アーティストに関するコンテンツを作成するメタデータ定義表」を用いて作成されたコンテンツから情報を引き継ぎ、「アート作品に関するコンテンツを作成するメタデータ定義表」を用いた新規コンテンツを作成する場合を例にして、メタデータ入力フォーム生成システムの動作について説明する。
【００５５】
図３は、「アーティストに関するコンテンツを作成するメタデータ定義表」の例である。また、連携先のメタデータ定義表の一例として、メタデータ定義表の識別子Ｔ２で定義されている「アート作品に関するコンテンツを作成するメタデータ定義表」の例を図４に示す。なお、実際に実施する際にはこれらの書式以外の書式を用いることも考えられるが、あくまでも書式の一例として示すものである。
以降、識別子Ｔ１で定義されるメタデータ定義表をメタデータ定義表Ｔ１と称し、識別子Ｔ２で定義されるメタデータ定義表をメタデータ定義表Ｔ２と称する。
【００５６】
図３の「アーティストに関するコンテンツを作成するメタデータ定義表」は、大きく分けて２つの部分からなっている。
１つは、アーティストに関するメタデータを定義する部分であり、これは、前半の<メタデータ定義>から</メタデータ定義>まで、である（項目を定義する第１のメタデータ項目定義情報）。
もう１つは、異なるメタデータ定義表への連携に関する部分であり、これは、後半の<サービス連携 メタデータ定義表=2>から、最後の</サービス連携>まで、である（第２のメタデータ項目定義フォーマットファイル識別情報と、対応情報）。
なお、図３のメタデータ定義表の例では、異なるメタデータ定義表への連携に関する部分も、メタデータ定義表Ｔ２への連携に関する部分と、メタデータ定義表Ｔ３への連携についての部分に、さらに分けられている。
つまり、メタデータ定義表は、複数の第２のメタデータ項目定義フォーマットファイル識別情報と対応情報とを有することが可能である。
【００５７】
サービス連携の例として「メタデータ定義表＝２」への連携の部分だけに注目すると、図３の例では、メタデータ定義表Ｔ１で「name」として定義されている項目への入力内容を、メタデータ定義表Ｔ２の「user」項目として引き継ぐことが、記述されている。また、メタデータ定義表Ｔ１で「birthday」として定義されている項目への入力内容を、メタデータ定義表Ｔ２の全く同じ名前の項目「birthday」に引き継ぐことが記述されている。
【００５８】
次に、具体的な入力の例を、図５から図８を用いて説明する。
図５では、メタデータ定義表Ｔ１を用いた入力の例を示す。メタデータ定義表Ｔ１では、他メタデータへの連携については記述されているが、この時点では他サービスから連携せず入力する場合を想定するため、すべての項目をユーザが入力する必要がある。ここではnameとして「Yamada Taro」、birthdayとして「2006-11-18」、sexとして「male」を入力することを想定する。
【００５９】
このように、メタデータ定義表Ｔ１を用いて作成されたコンテンツの１例を、図６に示す。ここでは、メタデータの内容やコンテンツの内容と共に「連携可能なサービス」としてメタデータ定義表Ｔ２に対応する「Blog Entry of “Artists’ Work”」と、メタデータ定義表Ｔ３に対応する「Blog Entry of “Gossip”」とが、リンクとして作成されている。
【００６０】
このリンクは、前述の通りメタデータ入力フォーム生成サーバへのリンク・ボタンであり、メタデータ定義表Ｔ２に対応する部分では、メタデータ項目定義フォーマット識別情報と、項目識別情報とが、リンクに付随する情報として付与され、このボタンをクリックすると、メタデータ入力フォーム生成サーバ１に送られる。
なお、ここでは、メタデータ項目定義フォーマット識別情報は、利用すべきメタデータ項目定義フォーマットの識別子（ここではＴ２）であり、項目識別情報は、流用先の項目名（もしくは項目識別子）とその値（name=’Yamada Taro’, birthday=2008-11-18’）である。
【００６１】
これらの情報を受信したメタデータ入力フォーム生成サーバは、メタデータ入力フォームを生成する際に、受信した情報をデフォルト値（もしくは固定値）として入力し、それ以外の項目を空白とした入力フォームを生成する。
この例では、図７で、Artistのnameとbirthdayを受け取り、デフォルト値として入力済みの状態とした上で、新規コンテンツを作成するユーザに「作品（work）」のみを入力してもらう画面を生成している。
【００６２】
これにより、関連するメタデータを持ったコンテンツから、別の新たなコンテンツを作成する際に、入力項目を削減することで入力を容易にすることができる。
【００６３】
なお、本実施例では、端末３がメタデータ入力フォーム生成サーバ１へ送信する情報は、メタデータ入力フォーム生成サーバ１のメタデータ項目定義フォーマット選択部１１が受信する。
端末３からの情報の中に、メタデータ項目定義フォーマット識別情報がある場合には、ユーザに対しメタデータ項目定義フォーマットを選択させる過程は不要である。利用されたメタデータ項目定義フォーマットの情報および流用するメタデータ情報等をメタデータ入力フォーム生成部１３に渡し、不足しているメタデータ項目についてユーザヘ、項目が挿入された入力フォームを送信することにより、その入力を促す。
この際、引き継いでいるメタデータについては入力を省略できるものとして説明しているが、ここをユーザによる修正を可とするかなどは、システムのポリシーに依存するものである。
【００６４】
不足するメタデータの入力がなされた後、これらの情報はメタデータ付き情報作成部１４に渡され、元のメタデータ付き情報から一部もしくは全部のメタデータを流用したメタデータ付き情報が生成される。
【００６５】
なお、メタデータ項目定義フォーマット蓄積部１２、メタデータ付き情報蓄積部１５またはユーザ識別情報記憶部は、ハードディスク装置や光磁気ディスク装置、フラッシュメモリ等の不揮発性のメモリや、ＣＲ−ＲＯＭ等の読み出しのみが可能な記憶媒体、ＲＡＭ（Ｒａｎｄｏｍ  Ａｃｃｅｓｓ  Ｍｅｍｏｒｙ）のような揮発性のメモリ、あるいはこれらの組み合わせにより構成されるものとする。
【００６６】
なお、このメタデータ入力フォーム生成サーバ１は、専用のハードウェアにより実現されるものであってもよく、また、このメタデータ入力フォーム生成サーバ１はメモリおよびＣＰＵ（中央演算装置）により構成され、処理部３０の機能を実現するためのプログラムをメモリにロードして実行することによりその機能を実現させるものであってもよい。
【００６７】
また、図１におけるメタデータ入力フォーム生成サーバ１の機能を実現するためのプログラムをコンピュータ読み取り可能な記録媒体に記録して、この記録媒体に記録されたプログラムをコンピュータシステムに読み込ませ、実行することによりメタデータ入力フォーム生成サーバ１の機能を実行してもよい。なお、ここでいう「コンピュータシステム」とは、ＯＳや周辺機器等のハードウェアを含むものとする。
【００６８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６９】
なお、実施の形態では、メタデータ入力フォーム生成サーバ１が、メタデータ項目定義フォーマット選択部１１、メタデータ項目定義フォーマット蓄積部１２、メタデータ入力フォーム生成部１３、メタデータ付き情報作成部１４、メタデータ付き情報蓄積部１５、および、メタデータ付き情報公開部１６を有するものとして説明するが、これに限られるものではなく、メタデータ入力フォーム生成サーバ１と、メタデータ項目定義フォーマット選択部１１、メタデータ項目定義フォーマット蓄積部１２、メタデータ入力フォーム生成部１３、メタデータ付き情報作成部１４、メタデータ付き情報蓄積部１５、および、メタデータ付き情報公開部１６とは、それぞれ分離し別装置としてもよい。また、本実施の形態以外にも多数の実施形態が想定可能である。
【００７０】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００７１】
本発明は、定型のフォーマットを用いてブログを公開するブログサーバに用いて好適である。
【図面の簡単な説明】
【００７２】
【図１】この発明の一実施形態によるタデータ入力フォーム生成システムの構成を示すブロック図である。
【図２】図１のメタデータ入力フォーム生成システムの動作概要を示す動作概要図である。
【図３】一例としての第１のメタデータ項目定義フォーマットファイルを説明する説明図である。
【図４】一例としての第２のメタデータ項目定義フォーマットファイルを説明する説明図である。
【図５】一例としての第１の入力画面の画面図である。
【図６】一例としての第１の出力画面の画面図である。
【図７】一例としての第２の入力画面の画面図である。
【図８】一例としての第２の出力画面の画面図である。
【符号の説明】
【００７３】
１  メタデータ入力フォーム生成サーバ
２、３  端末
１１  メタデータ項目定義フォーマット選択部
１２  メタデータ項目定義フォーマット蓄積部
１３  メタデータ入力フォーム生成部
１４  メタデータ付き情報作成部
１５  メタデータ付き情報蓄積部
１６  メタデータ付き情報公開部
１７  メタデータ項目定義フォーマットファイル
１８  メタデータ付き情報ファイル
【図１】
2008134915.tif 000003
【図２】
2008134915.tif 000004
【図３】
2008134915.tif 000005
【図４】
2008134915.tif 000006
【図５】
2008134915.tif 000007
【図６】
2008134915.tif 000008
【図７】
2008134915.tif 000009
【図８】
2008134915.tif 000010